(57)【特許請求の範囲】
【請求項１】
電源としての電池と、
制御部と、
警備用コントローラに警戒状態を設定するための警戒ボタンと、
警備用コントローラに解除状態を設定するための解除ボタンと、
前記電池からの電源供給が前記制御部によって制御され、データを警備用コントローラに無線送信するための送信部と、
前記電池からの電源供給が前記制御部によって制御され、警備用コントローラから無線送信されたデータを受信するための受信部と、
前記電池からの電源供給が前記制御部によって制御される表示部と
を備え、
前記制御部は、
前記警戒ボタンが押された場合、前記送信部に電源を供給し、警戒状態に入ることを指示するデータを生成して前記送信部から送信し、その送信終了後は前記送信部に対する電源供給は停止し、前記受信部に対する電源供給を開始して次に前記解除ボタンが押されるまで電源供給を継続し、且つ、当該警戒状態に入ることを指示するデータの送信後、警備用コントローラから警戒状態に入ったことを示すデータを受信すると、前記表示部に電源を供給して警戒状態に入った旨のメッセージを表示して、所定時間表示した後に前記表示部に対する電源供給を停止し、
前記解除ボタンが押された場合、前記受信部への電源供給を停止し、前記送信部へ電源を供給し、解除状態に入ることを指示するデータを生成して前記送信部から送信し、その送信終了後は前記送信部への電源供給を停止し、受信部へ電源を供給し、且つ、当該解除状態に入ることを指示するデータの送信後、警備用コントローラから解除状態に入ったことを示すデータを受信すると、前記表示部に電源を供給して解除状態に入った旨のメッセージを表示して、所定時間表示した後に前記表示部に対する電源供給を停止すると共に、前記受信部に対する電源供給も停止する
ことを特徴とする警備状態設定装置。
【請求項２】
防犯センサが接続される制御部と、
電源供給が前記制御部によって制御され、データを警備状態設定装置に無線送信するための送信部と、
電源供給が前記制御部によって制御され、警備状態設定装置から無線送信されたデータを受信するための受信部と、
を備え、
前記制御部は、
前記受信部を介して警戒状態に入ることを指示するデータを受けた場合、警戒状態に入って前記受信部に対する電源供給を停止すると共に前記送信部に電源を供給して、警戒状態に入ったことを示すデータを生成して前記送信部から送信し、当該警戒状態に入ったことを示すデータの送信後、前記送信部に対する電源供給を停止すると共に前記受信部に電源を供給し、
前記受信部を介して解除状態に入ることを指示するデータを受けた場合、解除状態に入って前記受信部に対する電源供給を停止すると共に前記送信部に電源を供給して、解除状態に入ったことを示すデータを生成して前記送信部から送信し、当該解除状態に入ったことを示すデータの送信後、前記送信部に対する電源供給を停止すると共に前記受信部に電源を供給する
ことを特徴とする警備用コントローラ。
【請求項３】
警備用コントローラと、当該警備用コントローラに対して警備状態を設定するための警備状態設定装置とを備えるセキュリティシステムにおいて、
前記警備用コントローラは、
防犯センサが接続される制御部と、
電源供給が前記制御部によって制御され、データを警備状態設定装置に無線送信するための送信部と、
電源供給が前記制御部によって制御され、警備状態設定装置から無線送信されたデータを受信するための受信部と、
を備え、
当該警備用コントローラの制御部は、
前記受信部を介して警戒状態に入ることを指示するデータを受けた場合、警戒状態に入って前記受信部に対する電源供給を停止すると共に前記送信部に電源を供給して、警戒状態に入ったことを示すデータを生成して前記送信部から送信し、当該警戒状態に入ったことを示すデータの送信後、前記送信部に対する電源供給を停止すると共に前記受信部に電源を供給し、
前記受信部を介して解除状態に入ることを指示するデータを受けた場合、解除状態に入って前記受信部に対する電源供給を停止すると共に前記送信部に電源を供給して、解除状態に入ったことを示すデータを生成して前記送信部から送信し、当該解除状態に入ったことを示すデータの送信後、前記送信部に対する電源供給を停止すると共に前記受信部に電源を供給する
動作を行い、
前記警備状態設定装置は、
電源としての電池と、
制御部と、
警備用コントローラに警戒状態を設定するための警戒ボタンと、
警備用コントローラに解除状態を設定するための解除ボタンと、
前記電池からの電源供給が前記制御部によって制御され、データを警備用コントローラに無線送信するための送信部と、
前記電池からの電源供給が前記制御部によって制御され、警備用コントローラから無線送信されたデータを受信するための受信部と、
前記電池からの電源供給が前記制御部によって制御される表示部と
を備え、
当該警備状態設定装置の制御部は、
前記警戒ボタンが押された場合、前記送信部に電源を供給し、警戒状態に入ることを指示するデータを生成して前記送信部から送信し、その送信終了後は前記送信部に対する電源供給は停止し、前記受信部に対する電源供給を開始して次に前記解除ボタンが押されるまで電源供給を継続し、且つ、当該警戒状態に入ることを指示するデータの送信後、警備用コントローラから警戒状態に入ったことを示すデータを受信すると、前記表示部に電源を供給して警戒状態に入った旨のメッセージを表示して、所定時間表示した後に前記表示部に対する電源供給を停止し、
前記解除ボタンが押された場合、前記受信部への電源供給を停止し、前記送信部へ電源を供給し、解除状態に入ることを指示するデータを生成して前記送信部から送信し、その送信終了後は前記送信部への電源供給を停止し、受信部へ電源を供給し、且つ、当該解除状態に入ることを指示するデータの送信後、警備用コントローラから解除状態に入ったことを示すデータを受信すると、前記表示部に電源を供給して解除状態に入った旨のメッセージを表示して、所定時間表示した後に前記表示部に対する電源供給を停止すると共に、前記受信部に対する電源供給も停止する
動作を行う
ことを特徴とするセキュリティシステム。
【発明の詳細な説明】
【０００１】
【産業上の利用分野】
本発明は、セキュリティシステムに用いて好適な警備状態設定装置、その警備状態設定装置と共に用いて好適な警備用コントローラ、及びそれらを用いたセキュリティシステムに関する。
【０００２】
【従来の技術】
侵入者等の異常を検知して警備会社等の警備センタに異常通報を行うセキュリティシステムは、テナントビル等の商用ビルばかりでなく、近年では一般家庭においても用いられている。
【０００３】
さて、セキュリティシステムにおいては、警備の対象となっている箇所には、警備用コントローラが配置され、その警備用コントローラには、異常状態を検知するための防犯センサと、警備状態設定装置が接続されるのが一般的である。防犯センサとしては、侵入者を検知するための熱線センサや、窓の開閉を検知するためのマグネットセンサ等が用いられる。周知のように、熱線センサはシステムとの移動を検知すると発報信号を出力し、マグネットセンサは窓が開いているとき発報信号を出力するものである
警備状態設定装置は、警備用コントローラに対して警戒状態／解除状態の設定を行うものである。なお、警備状態設定装置で警戒状態／解除状態を設定する方式としては、ＩＤコードが書き込まれたカードを挿入する方式、警戒ボタンと解除ボタンとテンキーを備え、テンキーでＩＤ番号を入力して警戒ボタンあるいは解除ボタンを押す方式、鍵によって錠を回す方式等種々の方式が知られている。
【０００４】
ところで、従来においては、警備状態設定装置は警備用コントローラに一体化されて設けられるか、あるいは警備用コントローラと別体で設けられる場合には警備先の適宜な箇所に固定的に設置され、警備用コントローラとの間には信号線が付設されており、何れにしても警戒状態から解除状態に変更する場合、あるいはその逆に解除状態から警戒状態に変更する場合には、ユーザは警備状態設定装置が設置されている箇所まで出向いて、警備状態設定装置を操作する必要があり、煩わしいものであった。
【０００５】
そこで、本出願人は、実願平３−１０７３８１号（実開平５−５５２９３号）において、設定された警備状態に対応するデータを無線によって警備用コントローラに送信する警備状態設定装置を提案した。また、このような設定された状態を無線により送信するリモコン装置は、例えば特開平３−７４２３９号公報にも開示されている。このような警備状態設定装置で設定された警備状態に対応するデータを無線送信するものを用いれば、警備用コントローラの警備状態を変更する場合に、警備状態設定装置が設置されている箇所にわざわざ出向く必要はなく、無線が有効な範囲であれば警備用コントローラの警備状態を遠隔制御することができる。
【０００６】
【発明が解決しようとする課題】
このように、セキュリティシステムにおいて、警備状態設定装置として、上述した実開平５−５５２９３号や、特開平３−７４２３９号公報に開示されているような携帯可能な装置を用いることは有効ではあるが、これらのものは警備状態設定装置で設定した警備状態に対応するデータを送信するだけであるので、警備用コントローラが、実際、警備状態設定装置で設定した状態に入ったかどうかを確認することができないものであった。
【０００７】
即ち、例えば、警備状態設定装置で警戒状態に設定する操作を行い、そのためのデータを無線送信したとするとき、実際に警備用コントローラが当該データを受信して警戒状態に入ったことを確認することは非常に重要である。なぜなら、無線送信を行った位置が当該無線の有効範囲外で、警備用コントローラが当該無線を受信できない可能性もあり、また、警備状態設定装置の電源としては電池が用いられるが、その電池の寿命が近付いており、無線の有効範囲内であっても警備用コントローラまで届かない可能性もあるからである。
【０００８】
しかし、上述したような従来のものにおいては送信の機能を有しているだけであるので、警備状態設定装置で何等かの操作を行い、無線送信を行った場合に、警備用コントローラが正しくその設定した状態になったかどうかを確認することはできないものであった。
【０００９】
そこで、本発明は、警備状態設定装置で何等かの操作を行い、無線送信を行った場合に、警備用コントローラが正しくその設定した状態になったかどうかを確認することができる警備状態設定装置、警備用コントローラ、及びそれらを用いたセキュリティシステムを提供することを目的とするものである。
【００１０】
【課題を解決するための手段】
上記の目的を達成するために、請求項１記載の警備状態設定装置は、電源としての電池と、制御部と、警備用コントローラに警戒状態を設定するための警戒ボタンと、警備用コントローラに解除状態を設定するための解除ボタンと、前記電池からの電源供給が前記制御部によって制御され、データを警備用コントローラに無線送信するための送信部と、前記電池からの電源供給が前記制御部によって制御され、警備用コントローラから無線送信されたデータを受信するための受信部と、前記電池からの電源供給が前記制御部によって制御される表示部とを備え、前記制御部は、前記警戒ボタンが押された場合、前記送信部に電源を供給し、警戒状態に入ることを指示するデータを生成して前記送信部から送信し、その送信終了後は前記送信部に対する電源供給は停止し、前記受信部に対する電源供給を開始して次に前記解除ボタンが押されるまで電源供給を継続し、且つ、当該警戒状態に入ることを指示するデータの送信後、警備用コントローラから警戒状態に入ったことを示すデータを受信すると、前記表示部に電源を供給して警戒状態に入った旨のメッセージを表示して、所定時間表示した後に前記表示部に対する電源供給を停止し、前記解除ボタンが押された場合、前記受信部への電源供給を停止し、前記送信部へ電源を供給し、解除状態に入ることを指示するデータを生成して前記送信部から送信し、その送信終了後は前記送信部への電源供給を停止し、受信部へ電源を供給し、且つ、当該解除状態に入ることを指示するデータの送信後、警備用コントローラから解除状態に入ったことを示すデータを受信すると、前記表示部に電源を供給して解除状態に入った旨のメッセージを表示して、所定時間表示した後に前記表示部に対する電源供給を停止すると共に、前記受信部に対する電源供給も停止することを特徴とする。
【００１１】
また、請求項２記載の警備用コントローラは、防犯センサが接続される制御部と、電源供給が前記制御部によって制御され、データを警備状態設定装置に無線送信するための送信部と、電源供給が前記制御部によって制御され、警備状態設定装置から無線送信されたデータを受信するための受信部と、を備え、前記制御部は、前記受信部を介して警戒状態に入ることを指示するデータを受けた場合、警戒状態に入って前記受信部に対する電源供給を停止すると共に前記送信部に電源を供給して、警戒状態に入ったことを示すデータを生成して前記送信部から送信し、当該警戒状態に入ったことを示すデータの送信後、前記送信部に対する電源供給を停止すると共に前記受信部に電源を供給し、前記受信部を介して解除状態に入ることを指示するデータを受けた場合、解除状態に入って前記受信部に対する電源供給を停止すると共に前記送信部に電源を供給して、解除状態に入ったことを示すデータを生成して前記送信部から送信し、当該解除状態に入ったことを示すデータの送信後、前記送信部に対する電源供給を停止すると共に前記受信部に電源を供給することを特徴とする。
【００１２】
更に、請求項３記載のセキュリティシステムは、警備用コントローラと、当該警備用コントローラに対して警備状態を設定するための警備状態設定装置とを備えるセキュリティシステムにおいて、前記警備用コントローラは、防犯センサが接続される制御部と、電源供給が前記制御部によって制御され、データを警備状態設定装置に無線送信するための送信部と、電源供給が前記制御部によって制御され、警備状態設定装置から無線送信されたデータを受信するための受信部と、を備え、当該警備用コントローラの制御部は、前記受信部を介して警戒状態に入ることを指示するデータを受けた場合、警戒状態に入って前記受信部に対する電源供給を停止すると共に前記送信部に電源を供給して、警戒状態に入ったことを示すデータを生成して前記送信部から送信し、当該警戒状態に入ったことを示すデータの送信後、前記送信部に対する電源供給を停止すると共に前記受信部に電源を供給し、前記受信部を介して解除状態に入ることを指示するデータを受けた場合、解除状態に入って前記受信部に対する電源供給を停止すると共に前記送信部に電源を供給して、解除状態に入ったことを示すデータを生成して前記送信部から送信し、当該解除状態に入ったことを示すデータの送信後、前記送信部に対する電源供給を停止すると共に前記受信部に電源を供給する動作を行い、前記警備状態設定装置は、電源としての電池と、制御部と、警備用コントローラに警戒状態を設定するための警戒ボタンと、警備用コントローラに解除状態を設定するための解除ボタンと、前記電池からの電源供給が前記制御部によって制御され、データを警備用コントローラに無線送信するための送信部と、前記電池からの電源供給が前記制御部によって制御され、警備用コントローラから無線送信されたデータを受信するための受信部と、前記電池からの電源供給が前記制御部によって制御される表示部とを備え、当該警備状態設定装置の制御部は、前記警戒ボタンが押された場合、前記送信部に電源を供給し、警戒状態に入ることを指示するデータを生成して前記送信部から送信し、その送信終了後は前記送信部に対する電源供給は停止し、前記受信部に対する電源供給を開始して次に前記解除ボタンが押されるまで電源供給を継続し、且つ、当該警戒状態に入ることを指示するデータの送信後、警備用コントローラから警戒状態に入ったことを示すデータを受信すると、前記表示部に電源を供給して警戒状態に入った旨のメッセージを表示して、所定時間表示した後に前記表示部に対する電源供給を停止し、前記解除ボタンが押された場合、前記受信部への電源供給を停止し、前記送信部へ電源を供給し、解除状態に入ることを指示するデータを生成して前記送信部から送信し、その送信終了後は前記送信部への電源供給を停止し、受信部へ電源を供給し、且つ、当該解除状態に入ることを指示するデータの送信後、警備用コントローラから解除状態に入ったことを示すデータを受信すると、前記表示部に電源を供給して解除状態に入った旨のメッセージを表示して、所定時間表示した後に前記表示部に対する電源供給を停止すると共に、前記受信部に対する電源供給も停止する動作を行うことを特徴とする。
【００１３】
【発明の実施の形態】
以下、図面を参照しつつ実施の形態について説明する。
図１は本発明に係る警備状態設定装置の一実施形態を示す図、図２は、図１に示す警備状態設定装置と共に用いて好適な警備用コントローラの一実施形態を示す図であり、以下では、セキュリティシステムは、図１に示す警備状態設定装置と、図２に示す警備用コントローラとで構成されているものとする。なお、図１において、１は警戒ボタン、２は解除ボタン、３は制御部、４は送信部、５はスイッチ、６は受信部、７はスイッチ、８は表示部、９はスイッチ、１０はブザー、１１はスイッチ、１２は電池、１３は充電回路、１４はアンテナを示し、図２において、２０は制御部、２１は警備状態設定装置、２２は送信部、２３はスイッチ、２４は受信部、２５はスイッチ、２６は通報装置、２７はアンテナを示す。
【００１４】
まず、図１に示す警備状態設定装置の各部について概略説明する。
警戒ボタン１は、警備用コントローラに警戒状態に設定する場合に操作するボタンであり、解除ボタン２は警備用コントローラに解除状態を設定する場合に操作するボタンである。これらの警戒ボタン１、解除ボタン２は、制御部３の適宜な信号入力端子に接続されている。ここでは、警戒ボタン１、解除ボタン２はそれぞれ第１の割り込み端子、第２の割り込み端子に接続されているものとする。
【００１５】
制御部３は、ＣＰＵ及びその周辺回路で構成されており、以下に述べる動作を行う。送信部４は制御部３から与えられたデータを送信するものであり、その電源はスイッチ５によってオン／オフされる。このスイッチ５のオン／オフは制御部３によって制御されるが、通常は図の実線でしめすようにオフとなされている。従って、送信部４には通常は電源は供給されていない。受信部６は警備用コントローラから送信されたデータを受信し、制御部３に渡す。この受信部６の電源はスイッチ７によってオン／オフされる。このスイッチ７のオン／オフは制御部３によって後述するように制御される。
【００１６】
表示部８は、制御部３の制御によって以下に述べるような表示を行うものであり、液晶表示装置（ＬＣＤ）で構成することもでき、複数の発光色の異なるＬＥＤで構成することも可能である。ここでは表示部８はＬＣＤで構成されているものとする。表示部８の電源はスイッチ９によりオン／オフされる。このスイッチ９のオン／オフは制御部３によって制御されるが、通常は図の実線でしめすようにオフとなされている。従って、表示部８には通常は電源は供給されていない。
【００１７】
表示部８は視覚的な表示を行うものであるが、この表示部８以外に、ユーザに対して重要な事項について聴覚的に注意を喚起するものとしてブザー１０が設けられている。ブザー１０の電源はスイッチ１１によりオン／オフされる。このスイッチ１１のオン／オフは制御部３によって制御されるが、通常は図の実線で示すようにオフとなされている。従ってブザー１０には通常は電源は供給されていない。
【００１８】
電池１２は、当該警備状態設定装置の各部の電源となるものであり、ここでは二次電池で構成されるものとする。充電回路１３は電池１２を充電するためのものである。
【００１９】
図１に示す警備状態設定装置は以上の構成を有しており、携帯可能となされている。
【００２０】
次に、図２に示す警備用コントローラの各部について概略説明する。
制御部２０は、ＣＰＵ及びその周辺回路で構成され、以下に述べる動作を行う。制御部２０には、警備状態設定装置２１が接続されている。警備状態設定装置２１は制御部２０に対して警戒状態にするか、解除状態にするかという警備状態を設定するものであり、制御部２０とは信号線によって接続されている。なお、この警備用コントローラの警備状態は、以下に述べるように図１に示す警備状態設定装置によって設定できるのであるが、それとは別個に警備用コントローラとしては警備状態設定装置を有する必要があるので、警備状態設定装置２１が設けられているのである。なお、この実施形態の説明においては、図２に示す警備状態設定装置２１を示す場合には「警備状態設定装置２１」と記し、図１に示す警備状態設定装置を示す場合には、便宜的に単に「設定装置」と記して、両者を区別することにする。
【００２１】
制御部２０には防犯センサも接続される。防犯センサとしては熱線センサや、マグネットセンサ等が用いられる。防犯センサは複数個設けられるのが通常であるが、ここでは単に防犯センサが接続されることを示すに止めている。
【００２２】
送信部２２は制御部２０から与えられたデータを送信するものであり、その電源はスイッチ２３によってオン／オフされる。このスイッチ２３のオン／オフは制御部２０によって制御されるが、通常は図の実線でしめすようにオフとなされている。従って、送信部２３には通常は電源は供給されていない。
【００２３】
受信部２４は設定装置から送信されたデータを受信し、制御部２０に渡す。この受信部２４の電源はスイッチ２５によってオン／オフされる。このスイッチ２５のオン／オフは制御部２０によって制御されるが、通常は図の実線でしめすようにオンとなされている。従って、受信部２４には通常は電源が供給されている。
【００２４】
通報装置２６は、警備会社の警備センタ等に設置されているセンタ装置に対して公衆電話回線を介して、異常通報等の所定の通報を行うためのものである。
【００２５】
以下、動作について説明する。
まず、いま警備用コントローラの制御部２０は解除状態にあるとする。解除状態にある場合には、制御部２０は防犯センサから発報信号を受けても無視して異常が発生したとは判断しない。また、解除状態にある場合には、制御部２０はスイッチ２３をオフに制御し、スイッチ２５をオンに制御する。従って、送信部２２には電源は供給されないが、受信部２４には電源装置（図２には図示せず）から電源が供給され、設定装置からのデータ送信を待機している状態にある。このように解除状態にあるときに受信部２４が設定装置からのデータ送信を待機するのは、設定装置から何時警戒状態に入ることを指示するデータが送信されてくるか分からないからである。
【００２６】
また、警備用コントローラの制御部２０が解除状態にあるときの設定装置の状態は次のようである。このとき、制御部３はスイッチ５、７、９、１１の４つのスイッチを全てオフとしている。従って、このときには電池１２から電源が供給されているのは制御部３だけであり、このことによって、警備用コントローラの制御部２０が解除状態にあるときの設定装置での消費電力を必要最小限に止めることができる。
【００２７】
さて、いま設定装置を携帯しているユーザが、警備用コントローラの制御部２０に警戒状態を設定するために警戒ボタン１を押したとする。警戒ボタン１が押されると、制御部３には第１の割り込み端子から割り込みが掛かるので、制御部３は警戒ボタン１が押されたことを認識する。そして、制御部３は、スイッチ５をオンとすると共に、警戒状態に入ることを指示するデータを生成して送信部４に渡し、送信を指示する。これにより、当該データは送信部４によってアンテナ１４から無線送信されることになる。このデータの送信が終了すると、制御部３は、スイッチ５をオフとし、スイッチ７をオンとする。これにより受信部６には電池１２からの電源が供給され、受信が可能となる。このスイッチ７は、これ以降、解除ボタン２が押されるまでの期間はオンの状態を保持する。
【００２８】
一方、このとき警備用コントローラではスイッチ２５はオンとなされており、受信部２４は受信可能な状態にある。そして、受信部２４は、設定装置から送信された、警戒状態に入ることを指示するデータを受信すると、それを制御部２０に渡す。制御部２０は当該データを受けると、警戒状態に入り、スイッチ２５をオフ、スイッチ２３をオンとすると共に、警戒状態に入ったことを示すデータを生成して送信部２２に渡し、送信を指示する。これによって、当該データは送信部２２によってアンテナ２７から無線送信されることになる。このデータの送信が終了すると、制御部２０はスイッチ２３をオフ、スイッチ２５をオンとする。このことによって、受信部２４は再び受信を待機する状態になる。このようにするのは、次に何時設定装置から解除状態に入ることを示すデータが送信されるか分からないからである。
【００２９】
警備用コントローラから、当該警戒状態に入ったことを示すデータが送信されたとき、設定装置の受信部６は受信可能な状態にある。そして、受信部６は、当該データを受信すると、それを制御部３に渡す。制御部３は当該データを受け、警備用コントローラの制御部２０が警戒状態に入ったことを認識すると、スイッチ９をオンとして表示部８に電池１２からの電源を供給し、警備用コントローラが警戒状態に入った旨のメッセージを表示する。これにより、ユーザは動作が正常に行われたことを確認することができる。そして、制御部３は当該メッセージの表示を所定時間継続すると、スイッチ９をオフとして、メッセージの表示を停止する。
【００３０】
しかし、制御部３は、警戒状態に入ることを指示するデータを送信した後、所定時間経過しても警備用コントローラから警戒状態に入ったことを示すデータを受信しなかった場合には、スイッチ９及びスイッチ１１をオンとして、ブザー１０を鳴動させると共に、警備用コントローラが警戒状態に入らなかった旨のメッセージを表示部８に表示する。これによって、ユーザは正常に動作しなかったことを知ることができる。そして、制御部３は、この後、所定時間が経過するとスイッチ９、１１を共にオフとして、ブザー１０の鳴動、及び表示部８でのメッセージの表示を停止する。なお、この場合には、ユーザは警備状態設定装置２１を操作して警戒状態に設定すればよい。
【００３１】
さて、警戒状態にある場合、警備用コントローラの制御部２０は、防犯センサから発報信号を受けると異常が発生したと判断して、通報装置２６によりセンタ装置に対して異常通報を行うと共に、スイッチ２５をオフ、スイッチ２３をオンとして、送信部２２から異常が発生したことを示すデータを送信する。
【００３２】
設定装置の受信部６は、当該データを受信すると、それを制御部３に渡す。制御部３は当該データを受け、異常が発生したことを認識すると、スイッチ９及びスイッチ１１をオンとして、ブザー１０を鳴動させると共に、異常が発生した旨のメッセージを表示部８に表示する。これによって、ユーザは異常が発生したことを知ることができる。そして、制御部３は、この後、所定時間が経過するとスイッチ９、１１を共にオフとして、ブザー１０の鳴動、及び表示部８でのメッセージの表示を停止する。
【００３３】
さて、ユーザが警戒状態から解除状態に警備状態を変更しようとする場合には解除ボタン２を押す。解除ボタン２が押されると、制御部３には第２の割り込み端子から割り込みが掛かるので、制御部３は解除ボタン２が押されたことを認識する。そして、制御部３は、スイッチ７をオフ、スイッチ５をオンとすると共に、解除状態に入ることを指示するデータを生成して送信部４に渡し、送信を指示する。これにより、当該データは送信部４によってアンテナ１４から無線送信されることになる。このデータの送信が終了すると、制御部３は、スイッチ５をオフ、スイッチ７をオンとする。これで受信部６は受信可能な状態になる。
【００３４】
一方、このとき警備用コントローラではスイッチ２５はオンとなされており、受信部２４は受信可能な状態にある。そして、受信部２４は、設定装置から送信された、解除状態に入ることを指示するデータを受信すると、それを制御部２０に渡す。制御部２０は当該データを受けると、解除状態に入り、スイッチ２５をオフ、スイッチ２３をオンとすると共に、解除状態に入ったことを示すデータを生成して送信部２２に渡し、送信を指示する。これによって、当該データは送信部２２によってアンテナ２７から無線送信されることになる。このデータの送信が終了すると、制御部２０はスイッチ２３をオフ、スイッチ２５をオンとする。このことによって、受信部２４は再び受信可能な状態になる。
【００３５】
警備用コントローラから、当該解除状態に入ったことを示すデータが送信されたとき、設定装置の受信部６は受信可能な状態にある。そして、受信部６は、当該データを受信すると、それを制御部３に渡す。制御部３は当該データを受け、警備用コントローラの制御部２０が解除状態に入ったことを認識すると、スイッチ９をオンとして表示部８に、警備用コントローラが解除状態に入った旨のメッセージを表示する。これにより、ユーザは動作が正常に行われたことを確認することができる。そして、制御部３は、当該データの受信が終了すると、スイッチ７をオフとする。また、制御部３は、当該メッセージの表示を所定時間継続すると、スイッチ９をオフとして、メッセージの表示を停止する。なお、このときスイッチ７をオフするのは、警備用コントローラが解除状態にあるときには警備用コントローラから無線送信が行われることはないからであり、このことで消費電力の低減を図ることができる。
【００３６】
しかし、制御部３は、解除状態に入ることを指示するデータを送信した後、所定時間経過しても警備用コントローラから解除状態に入ったことを示すデータを受信しなかった場合には、スイッチ７をオフとして受信部６に対する電源の供給を停止すると共に、スイッチ９、及びスイッチ１１をオンとして、ブザー１０を鳴動させ、警備用コントローラが警戒状態に入らなかった旨のメッセージを表示部８に表示する。これによって、ユーザは正常に動作しなかったことを知ることができる。そして、制御部３は、スイッチ９、及びスイッチ１１をオンとした後、所定時間が経過するとスイッチ９、１１を共にオフとして、ブザー１０の鳴動、及び表示部８でのメッセージの表示を停止する。なお、この場合には、ユーザは警備状態設定装置２１を操作して解除状態に設定すればよい。
【００３７】
以上のようであるので、このセキュリティシステムによれば、設定装置から警戒状態に入ることを指示するデータ、あるいは解除状態に入ることを示すデータが送信されたとき、警備用コントローラはそれらのデータを受信すると、その応答を無線で返し、設定装置はその応答を受信して当該応答の内容を表示することができるので、設定装置を持つユーザは、動作が正常に行われたことを明確に知ることができる。
【００３８】
また、警備用コントローラは、警戒状態にあるとき、防犯センサから発報信号を受けた場合には異常が発生したことを無線送信し、設定装置ではそれを受信することができるので、設定装置を持つユーザは異常が発生したことも知ることができる。
【００３９】
更に、上述したところから明らかなように、設定装置では消費電力を必要最小限に止めることができる。しかし、警備用コントローラが警戒状態にあるときには受信部６には継続して受信可能な状態にあり、しかも制御部３には常に電源が供給されているので、電池１２の寿命の点で不安がある。そこで、図１では充電回路１３が設けられているのであり、この充電回路１３が設けられていることによって、所望の時には何時でも電池１２に対して充電を行うことができる。ただし、この充電回路１３は必要に応じて設ければよいものであって、必須のものではない。
【００４０】
以上、本発明に係る警備状態設定装置及び警備用コントローラの一実施形態について説明したが、次に、本発明に係る警備状態設定装置の他の実施形態について図３を参照して説明する。なお、図３において、図１に示すものと同等なものについては同一の符号を付す。また、この図３に示す実施形態の説明においても、図２に示す警備状態設定装置２１と区別するために、便宜的に設定装置と表記することにする。
【００４１】
この図３に示す設定装置は、以下の説明から明らかになるように、図１に示す設定装置よりも消費電力を低減することができ、以て電池１２の寿命を延ばすことができるものであるが、警備用コントローラから送信される異常が発生したことを示すデータを受信することはできない。
【００４２】
図３に示すものでは、電池１２と制御部３との間には３つのスイッチ１５、１６、１７の並列回路が設けられている。スイッチ１６は警戒ボタン１と連動するようになされ、スイッチ１５は解除ボタン２と連動するようになされている。スイッチ１７は制御部３により制御される。
【００４３】
以下、動作について説明する。なお、警備用コントローラとしては、図２に示すものを用いるものとするが、警備用コントローラの動作は上述した実施形態で説明したと同じであるので、ここでは警備用コントローラの動作の説明は省略する。
【００４４】
まず、いま、警備用コントローラの制御部２０が解除状態にあるものとする。このとき、設定装置においてはスイッチ５、７、９、１１の４つのスイッチはオフになされている。また、スイッチ１５、１６、１７も全てオフになされているので、この時点では電力は消費されていない。
【００４５】
そして、設定装置を携帯しているユーザが、警備用コントローラに警戒状態を設定するために警戒ボタン１を押したとする。このとき、同時にスイッチ１６がオンとなるので、電池１２からの電源が制御部３に供給され、制御部３が立ち上がる。そして、制御部３は、自らスイッチ１７をオンとして再度電源を投入する。このことによって、その後に警戒ボタン１が離されても、スイッチ１７がオンしていることにより、制御部３には電池１２から電源が供給され続けることになる。また、このとき制御部３の第１の割り込み端子から割り込みが掛かっているので、制御部３は警戒ボタン１が押されたことを認識する。そして、制御部３は、スイッチ５をオンとすると共に、警戒状態に入ることを指示するデータを生成して送信部４に渡し、送信を指示する。これにより、当該データは送信部４によってアンテナ１４から無線送信される。当該データの送信が終了すると制御部３はスイッチ５をオフとし、スイッチ７をオンとして、警備用コントローラからの応答の受信を待機する。
【００４６】
上述したように、警備用コントローラは、この警戒状態に入ることを指示するデータを受信して警戒状態に入ると、警戒状態に入ったことを示すデータを送信するが、受信部６は、当該データを受信すると、それを制御部３に渡す。制御部３は当該データを受け、警備用コントローラの制御部２０が警戒状態に入ったことを認識すると、スイッチ９をオンとして表示部８に電池１２からの電源を供給し、警備用コントローラが警戒状態に入った旨のメッセージを表示する。これにより、ユーザは動作が正常に行われたことを確認することができる。そして、制御部３は、当該データの受信を完了するとスイッチ７をオフとして受信部６への電源供給を停止し、更に、当該メッセージの表示を所定時間継続すると、スイッチ９をオフとして、メッセージの表示を停止する。またこのとき、制御部３は自らスイッチ１７をオフとする。これにより、当該設定装置においては電池１２からの電源はどこにも供給されなくなるので、電力は消費されない。
【００４７】
しかし、制御部３は、警戒状態に入ることを指示するデータを送信した後、所定時間経過しても警備用コントローラから警戒状態に入ったことを示すデータを受信しなかった場合には、スイッチ７をオフとして受信部６への電源供給を停止すると共に、スイッチ９及びスイッチ１１をオンとして、ブザー１０を鳴動させると共に、警備用コントローラが警戒状態に入らなかった旨のメッセージを表示部８に表示する。これによって、ユーザは正常に動作しなかったことを知ることができる。そして、制御部３は、スイッチ９、１１をオンとしてから所定時間が経過するとスイッチ９、１１を共にオフとして、ブザー１０の鳴動、及び表示部８でのメッセージの表示を停止する。またこのとき、制御部３は自らスイッチ１７をオフとする。これにより、当該設定装置においては電池１２からの電源はどこにも供給されなくなるので、電力は消費されない。
【００４８】
なお、この場合には、ユーザは警備状態設定装置２１を操作して警戒状態に設定すればよいことは上述したと同様である。また、警備用コントローラは、上述したように、警戒状態にある場合において防犯センサから発報信号を受けた場合には、異常が発生したことを示すデータを無線送信するが、このときには設定装置ではスイッチ７はオフとなされているので、設定装置では当該異常が発生したことを示すデータを受信することはできない。
【００４９】
次に、ユーザが警備用コントローラの警備状態を、警戒状態から解除状態に変更しようとする場合には解除ボタン２を押す。解除ボタン２が押されると、それに連動して、同時にスイッチ１５がオンとなるので、電池１２からの電源が制御部３に供給され、制御部３が立ち上がる。そして、制御部３は、自らスイッチ１７をオンとして再度電源を投入する。このことによって、その後に解除ボタン２が離されても、スイッチ１７がオンしていることにより、制御部３には電池１２から電源が供給され続けることになる。また、このとき制御部３の第２の割り込み端子から割り込みが掛かっているので、制御部３は解除ボタン２が押されたことを認識する。そして、制御部３は、スイッチ５をオンとすると共に、解除状態に入ることを指示するデータを生成して送信部４に渡し、送信を指示する。これにより、当該データは送信部４によってアンテナ１４から無線送信される。当該データの送信が終了すると制御部３はスイッチ５をオフとし、スイッチ７をオンとして、警備用コントローラからの応答の受信を待機する。
【００５０】
上述したように、警備用コントローラは、この解除状態に入ることを指示するデータを受信して解除状態に入ると、解除状態に入ったことを示すデータを送信するが、受信部６は、当該データを受信すると、それを制御部３に渡す。制御部３は当該データを受け、警備用コントローラが解除状態に入ったことを認識すると、スイッチ９をオンとして表示部８に電池１２からの電源を供給し、警備用コントローラが解除状態に入った旨のメッセージを表示する。これにより、ユーザは動作が正常に行われたことを確認することができる。そして、制御部３は、当該データの受信を完了するとスイッチ７をオフとして受信部６への電源供給を停止し、更に、当該メッセージの表示を所定時間継続すると、スイッチ９をオフとして、メッセージの表示を停止する。またこのとき、制御部３は自らスイッチ１７をオフとする。これにより、当該設定装置においては電池１２からの電源はどこにも供給されなくなるので、電力は消費されない。
【００５１】
しかし、制御部３は、解除状態に入ることを指示するデータを送信した後、所定時間経過しても警備用コントローラから解除状態に入ったことを示すデータを受信しなかった場合には、スイッチ７をオフとして受信部６への電源供給を停止すると共に、スイッチ９及びスイッチ１１をオンとして、ブザー１０を鳴動させると共に、警備用コントローラが解除状態に入らなかった旨のメッセージを表示部８に表示する。これによって、ユーザは正常に動作しなかったことを知ることができる。そして、制御部３は、スイッチ９、１１をオンとしてから所定時間が経過するとスイッチ９、１１を共にオフとして、ブザー１０の鳴動、及び表示部８でのメッセージの表示を停止する。またこのとき、制御部３は自らスイッチ１７をオフとする。これにより、当該設定装置においては電池１２からの電源はどこにも供給されなくなるので、電力は消費されない。なお、この場合には、ユーザは警備状態設定装置２１を操作して解除状態に設定すればよいことは上述したと同様である。
【００５２】
以上のようであるので、この設定装置によれば、設定装置から警戒状態に入ることを指示するデータ、あるいは解除状態に入ることを示すデータを送信したとき、警備用コントローラからの応答のデータを受信したかどうかに応じて、表示を行うので、ユーザは、警備用コントローラにおいて設定装置で設定した内容通りの動作が正常に行われたか否かを明確に知ることができ、しかも上述した、図１に示す設定装置に比較して消費電力を低減することができる。
【００５３】
なお、図３における電池１２としては一次電池を用いることもでき、二次電池を用いることもできる、更に、電池１２として二次電池を用いる場合には、図１に示すと同様に充電回路を設けてもよいことは当然である。
【００５４】
以上、本発明の実施形態について説明したが、本発明は上記実施形態に限定されるものではなく種々の変形が可能である。例えば、上記の実施形態においては設定装置は単に警戒ボタンや解除ボタンを押す方式のものとしたが、テンキーをも備え、テンキーでＩＤコードを入力して警戒ボタン、あるいは解除ボタンを押す方式あるいはその他の方式であってもよいものである。
【図面の簡単な説明】
【図１】  本発明に係る警備状態設定装置の一実施形態を示す図である。
【図２】  本発明に係る警備用コントローラの一実施形態を示す図である。
【図３】  本発明に係る警備状態設定装置の他の実施形態を示す図である。
【符号の説明】
１…警戒ボタン、２…解除ボタン、３…制御部、４…送信部、５…スイッチ、６…受信部、７…スイッチ、８…表示部、９…スイッチ、１０…ブザー、１１…スイッチ、１２…電池、１３…充電回路、１４…アンテナ、２０…制御部、２１…警備状態設定装置、２２…送信部、２３…スイッチ、２４…受信部、２５…スイッチ、２６…通報装置、２７…アンテナ。
【図１】
0003867945.tif 000002
【図２】
0003867945.tif 000003
【図３】
0003867945.tif 000004